(57)【要約】【課題】基板に押力を加えることなく、基板の脱落を防止することを目的とする。【解決手段】実装面３４０に発光素子３１が実装された基板３４を配置する基板取付部２４１と、実装面３４０を覆う長尺の透光性カバーであって、長手方向の端部に開口部が形成された透光性カバーと、開口部を塞ぐ端部カバー２２とを備え、端部カバー２２は、開口部を介して透光性カバーの内部に突き出している第２突出片２２５であって、実装面３４０との間に隙間２０４が形成された状態で実装面３４０と向き合っている第２突出片２２５を備えた。【選択図】図９
2019029341.tif 000002
【特許請求の範囲】
【請求項１】
実装面に発光素子が実装された基板を配置する基板取付部と、
前記実装面を覆う長尺の透光性カバーであって、長手方向の端部に開口部が形成された透光性カバーと、
前記開口部を塞ぐ閉塞部と
を備え、
前記閉塞部は、
前記開口部を介して前記透光性カバーの内部に突き出している突出部であって、前記実装面との間に隙間が形成された状態で前記実装面と向き合っている突出部を備えた照明具。
【請求項２】
前記基板は、
前記発光素子に電力を供給する導電部が前記実装面に配置され、
前記突出部は、
前記導電部が配置されていない前記実装面と向き合っている請求項１に記載の照明具。
【請求項３】
前記突出部は、
前記導電部と離間して配置されている請求項２に記載の照明具。
【請求項４】
前記実装面は、長方形を成しており、
前記突出部は、２つの支持片を有し、
前記２つの支持片の各々は、前記実装面の一端部の２つの角部の各々と向き合っている請求項２または３に記載の照明具。
【請求項５】
前記導電部は、前記２つの支持片の間の前記実装面に配置されている請求項４に記載の照明具。
【請求項６】
前記実装面は、長方形を成しており、
前記導電部は、２つの導電部から成り、
前記突出部は、並んで突き出した３つの支持片を有し、
前記３つの支持片のうち両端の２つの支持片の各々は、前記実装面の一端部の２つの角部の各々と向き合っており、前記３つの支持片のうち真ん中の支持片は、前記２つの導電部の間の前記実装面に向き合っている請求項２または３に記載の照明具。
【請求項７】
前記照明具は、
前記基板取付部を有する板状の支持部材を備え、
前記透光性カバーは、
前記基板取付部を覆って前記支持部材に取り付けられ、
前記閉塞部は、
前記突出部の基端部となる底部であって前記開口部を閉塞する底部と、前記底部の周縁から前記透光性カバーに向かって形成された周部と、前記周部の先端から前記透光性カバーに向かって形成され、前記開口部の縁部と嵌り合う嵌合部とを備えた請求項１から６のいずれか１項に記載の照明具。
【請求項８】
前記照明具は、
前記基板取付部を有し、前記発光素子から発せられる熱を放熱する支持部材を備え、
前記透光性カバーは、
前記支持部材を内部に収納する円管であり、
前記閉塞部は、
前記透光性カバーの一方の端部に取り付けられ、前記導電部に接続された給電口金と、前記透光性カバーの他方の端部に取り付けられ、前記照明具を支持する支持口金との２つの閉塞部を備えた請求項２から６のいずれか１項に記載の照明具。
【請求項９】
請求項７に記載の照明具と、
前記照明具を取り付けるユニット取付部を有する照明器具と
を備えた照明装置。
【請求項１０】
請求項８に記載の照明具と、
前記給電口金を取り付ける給電ソケットと、前記支持口金を取り付ける支持ソケットとを有する照明器具と
を備えた照明装置。
【請求項１１】
実装面に発光素子が実装された基板を基板取付部に配置し、
長手方向の端部に開口部が形成された透光性カバーにより前記実装面が覆われるように、前記透光性カバーを配置し、
前記開口部を塞ぐ閉塞部に、前記開口部を介して前記透光性カバーの内部に突き出す突出部を形成し、
前記突出部と前記実装面との間に隙間が形成された状態で前記突出部と前記実装面とが向き合うように、前記閉塞部を前記開口部に取り付ける照明具の製造方法。
【請求項１２】
実装面に発光素子が実装された基板を配置する基板取付部と、
前記実装面を覆う長尺の透光性カバーであって、長手方向の端部に開口部が形成された透光性カバーと、
前記開口部を塞ぐ閉塞部と、
前記基板よりも前記閉塞部の側から前記透光性カバーの内部に向って突き出している突出部であって、前記実装面との間に隙間が形成された状態で前記実装面と向き合っている突出部と
を備えた照明具。
【請求項１３】
前記基板の長手方向の一端部は、
前記基板取付部の長手方向の一端部より前記基板取付部の中央部の側に位置し、
前記突出部は、
前記基板取付部において、前記基板取付部の長手方向の一端部と前記基板の長手方向の一端部との間の位置に設けられた請求項１２に記載の照明具。
【請求項１４】
前記基板取付部は、
前記基板取付部の長手方向の一端部と前記基板の長手方向の一端部との間の位置に固定孔が形成されており、
前記照明具は、
前記固定孔に挿入される取付部と、前記取付部が前記固定孔に挿入された状態で前記実装面と向き合う前記突出部とを有する基板捕捉部材を備えた請求項１３に記載の照明具。
【請求項１５】
前記基板捕捉部材は、
前記突出部から、前記基板取付部の長手方向の一端部と前記基板の長手方向の一端部との間の位置に向かって形成された係止爪を備えた請求項１４に記載の照明具。
【請求項１６】
前記突出部は、
前記基板取付部の長手方向の一端部と前記基板の長手方向の一端部との間において、前記基板取付部の一部が折り返されて形成された請求項１３に記載の照明具。
【請求項１７】
実装面に発光素子が実装された基板を基板取付部に配置し、
長手方向の端部に開口部が形成された透光性カバーにより前記実装面が覆われるように、前記透光性カバーを配置し、
前記基板よりも、前記開口部を塞ぐ閉塞部の側から、前記透光性カバーの内部に向って突き出す突出部を、前記実装面との間に隙間が形成された状態で前記実装面と向き合うように配置する照明具の製造方法。
【発明の詳細な説明】
【技術分野】
【０００１】
本発明は、ＬＥＤ（発光ダイオード）といった固体発光素子を用いた照明具、照明装置、および照明具の製造方法に関する。
【背景技術】
【０００２】
直管型ＬＥＤランプでは、ＬＥＤモジュールが接着材によりガラス管のような直管の内部の管面、すなわち管内面に固定されている。
特許文献１には、直管型ＬＥＤランプにおいて、経年変化による接着材の劣化が誘発する管内面からのＬＥＤモジュールの剥がれ落ちを抑えることが可能なランプおよび照明装置を提供する技術が開示されている。
また、特許文献２には、ＬＥＤモジュールの長尺化に伴い用いられるようになった長尺状の基板の反りによる基板と基台との密着性の低下を防止する技術が開示されている。具体的には、特許文献２には、口金の一部で基板を基台に押さえつける技術が開示されている。
【先行技術文献】
【特許文献】
【０００３】
【特許文献１】特開２０１２−０６９２９６号公報
【特許文献２】特開２０１４−１５４４３３号公報
【発明の概要】
【発明が解決しようとする課題】
【０００４】
特許文献１の技術では、基板のみの脱落あるいは剥離を防止することができない。
また、特許文献２の技術では、基台に押さえつけられた基板に応力が残留し、ストレスの蓄積が生じてしまう。
本願の目的は、基板にストレスを加えることなく、想定以上の長期使用後であっても基板が脱落しない簡易な構成を提供することである。
【課題を解決するための手段】
【０００５】
本発明に係る照明具は、実装面に発光素子が実装された基板を配置する基板取付部と、前記実装面を覆う長尺の透光性カバーであって、長手方向の端部に開口部が形成された透光性カバーと、前記開口部を塞ぐ閉塞部とを備え、前記閉塞部は、前記開口部を介して前記透光性カバーの内部に突き出している突出部であって、前記実装面との間に隙間が形成された状態で前記実装面と向き合っている突出部を備えた。
【発明の効果】
【０００６】
本発明に係る照明具によれば、基板に押力を加えることなく、基板の脱落を防止することができる。
【図面の簡単な説明】
【０００７】
【図１】実施の形態１に係る照明装置の斜視図。
【図２】実施の形態１に係る照明装置の組立斜視図。
【図３】実施の形態１に係る照明具の斜視図。
【図４】実施の形態１に係る照明具の取り付けを説明する図。
【図５】実施の形態１に係る照明具の主要部を説明する分解斜視図。
【図６】実施の形態１に係る照明具の端部を説明する分解図。
【図７】実施の形態１に係る照明具の端部を説明する拡大図。
【図８】実施の形態１に係る照明具の端部を説明する拡大図。
【図９】実施の形態１に係る照明具の端部を説明する拡大図。
【図１０】実施の形態１に係る端部カバーの変形例を説明する拡大図。
【図１１】実施の形態２に係る照明装置の斜視図。
【図１２】実施の形態２に係る照明具の分解斜視図。
【図１３】実施の形態２に係る照明具の軸方向に沿った断面図。
【図１４】実施の形態２に係る照明具の端部を説明する拡大図。
【図１５】実施の形態２に係る照明具の軸方向に直交する断面図。
【図１６】実施の形態２に係る口金の変形例を説明する断面図。
【図１７】実施の形態３に係る照明装置の斜視図。
【図１８】実施の形態３に係る照明装置の組立斜視図。
【図１９】実施の形態３に係る照明具の部分分解斜視図。
【図２０】実施の形態３に係る照明装置の軸方向に直交する断面図。
【図２１】実施の形態３に係る照明具の端部を説明する拡大図。
【図２２】実施の形態３に係る基板捕捉部材の取り付けを説明する図。
【図２３】実施の形態３に係る照明具の変形例を説明する拡大図。
【発明を実施するための形態】
【０００８】
以下、本発明の実施の形態について、図を用いて説明する。なお、以下の図面では各構成部材の大きさの関係が実際のものとは異なる場合がある。また、実施の形態の説明において、上、下、左、右、前、後、表、裏といった方向あるいは位置が示されている場合、それらの表記は、説明の便宜上、そのように記載しているだけであって、装置、器具、あるいは部品の配置および向きを限定するものではない。なお、以下の説明では、照明装置５００を取り付ける造営部９００の方向を取付方向あるいは上方とし、光源の照射方向を下方として説明する。
【０００９】
実施の形態１．
＊＊＊構成の説明＊＊＊
図１は、本実施の形態に係る照明装置５００の斜視図である。
図２は、本実施の形態に係る照明装置５００の組立斜視図である。
図３は、本実施の形態に係る照明具２の斜視図である。
図４は、本実施の形態に係る照明具２の取り付けを説明する図である。
図５は、本実施の形態に係る照明具２の主要部を説明する分解斜視図である。
図１から図５を用いて、本実施の形態に係る照明装置５００について説明する。
【００１０】
本実施の形態に係る照明装置５００は、天井あるいは壁といった造営部９００に取り付けられる。照明装置５００は、長手方向に延びた長尺状を成す。照明装置５００は、光源一体型ＬＥＤベースライトともいう。
照明装置５００は、照明具２と、照明具２を着脱可能に取り付ける照明器具１とを有する。
【００１１】
＜照明器具１の説明＞
照明器具１は、器具本体１０と、器具本体１０の両端部に取り付けられる端板部１５とを備える。
器具本体１０は、コの字状に折り曲げられて形成され、長手方向に延びたユニット取付部１１を備える。器具本体１０は、板金が折り曲げられて形成される。ユニット取付部１１には、照明具２が取り付けられる。また、ユニット取付部１１は、照明具２に取り付けられた電源ユニット４０を収容する収容部ともいう。
端板部１５は、器具本体１０の端面を塞ぐように器具本体１０に取り付けられる。
【００１２】
ユニット取付部１１は、長手方向に延びた底面部１１１と、底面部１１１の短手方向の両端部を基端部として立ち上がる側面部１１２とを備える。また、ユニット取付部１１は、側面部１１２の先端部を開口縁部１１３とする開口１１４が形成される。また、器具本体１０は、開口縁部１１３から取付側に向かって広がるように形成された傾斜部１１５を備える。
【００１３】
ユニット取付部１１の底面部１１１には、２つの器具側取付具１２と、電源に接続された器具電源線材１３が設置される。器具電源線材１３は、器具側コネクタ１４を有する。器具側取付具１２は、照明具２が備えるユニット側取付具４６に対応する位置に配置される。器具側取付具１２は、照明具２が備えるユニット側取付具４６と係り合う板バネである。
なお、器具側取付具１２は、照明器具１の形状に応じて設置される数が変更することができる。照明器具１の長手方向の長さが短い場合は、長手方向の一端部のみに器具側取付具１２を設置し他端部はフックで固定する機構としてもよい。また、照明器具１の長手方向の長さが長い場合は、長手方向の両端部と中央部に器具側取付具１２を設置してもよい。中央部に器具側取付具１２を設置する場合は、器具側取付具１２および器具側取付具１２に対応するユニット側取付具４６が、照明具２に取り付けられた電源ユニット４０と干渉しない位置を選択する。
【００１４】
＜照明具２の説明＞
照明具２は、外郭部２０と発光モジュール３０とを備える。外郭部２０は、透光性カバー２１と、端部カバー２２と、支持部材２４とを備える。照明具２は、光源ユニットともいう。
【００１５】
＜＜支持部材２４＞＞
支持部材２４は、板状を成し、一面に基板３４を取り付ける基板取付部２４１を有する。支持部材２４は、長手方向に延びており、断面コ字状を成す。支持部材２４は、長形の平板状である主部２４０と、主部２４０の短手方向端部を基端部２４５として立ち上がる側部２４４とを備える。側部２４４は、照明具２が照明器具１に取り付けられた状態で、照明器具１のユニット取付部１１の底面部１１１に向かって立ち上がる。側部２４４の先端部２４６は、透光性カバー２１と係り合う係合部ともいう。
支持部材２４において、発光モジュール３０が取り付けられる面を基板取付部２４１とする。また、基板取付部２４１の裏面側であり、電源ユニット４０が取り付けられる面を電源取付部２４２とする。
【００１６】
支持部材２４の基板取付部２４１には、発光モジュール３０が配置される。基板取付部２４１は、照射側面部、あるいは基板取付面部ともいう。
発光モジュール３０は、基板３４と発光素子３１とを備える。基板３４の実装面３４０には発光素子３１が実装される。発光素子３１は、具体的には、ＬＥＤである。なお、発光素子３１は、有機ＥＬあるいはレーザといった発光素子でもよい。
【００１７】
実装面３４０の裏面である接着面３４１は、支持部材２４の基板取付部２４１に接着部材４９により接着固定される。接着部材４９は、粘着テープ、接着剤などを用いることができる。接着部材４９は、接着面３４１の単位面積当たりの使用量を、基板３４の両側の端部３４４付近の領域とこれ以外の領域とで異なる量としてもよい。例えば、基板３４の両端の端部付近において接着面３４１の単位面積当たりの接着部材４９の使用量を多くすることが好ましく、これによって、基板３４が支持部材２４から剥離し難くなる。
また、接着部材４９は、接着面３４１の単位面積当たりの使用量を、基板３４の両側の端部３４４付近の領域以外の所定の領域において異なる量としてもよい。例えば、基板３４の長手方向の寸法が大きい場合には、基板３４の長手方向中央付近において接着面３４１の単位面積当たりの接着部材４９の使用量を多くすることが好ましく、これによって、基板３４が支持部材２４から剥離し難くなる。
【００１８】
基板３４は、長方形を成す。すなわち、実装面３４０は、長方形を成す。
図５に示すように、基板３４の実装面３４０の四隅が被捕捉部３４６となる。被捕捉部３４６は、基板３４の両側の端部３４４の各々に２つずつ設けられる。被捕捉部３４６については後で説明する。基板３４は、長手方向に沿った側面３４３と、短手方向に沿った端面３４２を有する。
【００１９】
図３に示すように、支持部材２４の電源取付部２４２には、電源ユニット４０と、端子台４１と、２つのユニット側取付具４６とが設置される。また、電源ユニット４０と端子台４１とを接続するユニット電源線材４２が配線される。ユニット電源線材４２は、ユニット側コネクタ４３を備える。電源取付部２４２は、器具側面部、あるいは電源取付面部ともいう。
電源ユニット４０は、主部２４０の長手方向中央より一方側に寄せて取り付けられている。なお、電源ユニット４０は、主部２４０の長手方向中央に取り付けられていても構わない。
２つのユニット側取付具４６は、主部２４０の長手方向の両端側にそれぞれ取り付けられている。ユニット側取付具４６は、照明器具１が備える器具側取付具１２と係り合い、照明具２を照明器具１に固定する。
なお、ユニット側取付具４６は、照明具２の形状に応じて設置される数が変更することができる。照明具２の長手方向の長さが短い場合は、長手方向の一端部のみにユニット側取付具４６を設置し他端部はフックで固定する機構としてもよい。また、照明具２の長手方向の長さが長い場合は、長手方向の両端部と中央部にユニット側取付具４６を設置してもよい。中央部にユニット側取付具４６を設置する場合は、ユニット側取付具４６およびユニット側取付具４６に対応する器具側取付具１２が、電源ユニット４０と干渉しない位置を選択する。
【００２０】
ここで、図４を用いて、照明器具１に照明具２を取り付ける方法について説明する。
まず、造営部９００である天井に照明器具１を取り付ける。照明器具１を天井に取り付ける方法には、天井からつり下げられている吊ボルトに固定する、あるいは、ネジといった固定具により直接天井に固定するといった方法がある。
照明器具１を造営部９００に取り付ける際、天井から引き出された電源電線、すなわちＦケーブルを、照明器具１のユニット取付部１１内に引き込み、端子台などを介して器具電源線材１３に接続する。
次に、図４に示すように、板バネである器具側取付具１２を照明具２のユニット側取付具４６と係合させる。ユニット側取付具４６は、バネ受け金具ともいう。このとき、照明具２と照明器具１との間に作業空間が存在する状態で、照明器具１の器具電源線材１３と照明具２のユニット電源線材４２とを接続するといった作業が行われる。その後、照明具２を照明器具１に向かって押し上げ、照明具２が照明器具１に取り付けられる。
【００２１】
＜＜透光性カバー２１＞＞
透光性カバー２１は、基板３４および基板取付部２４１を覆って支持部材２４に取り付けられる。透光性カバー２１は、カバー主部２１０と、カバー側部２１１と、カバー係合部２１２とを備える。透光性カバー２１は、第１外郭部の例である。
カバー主部２１０は、透光性カバー２１の前面に位置し、基板３４に対向する部分である。カバー主部２１０は、前面透光部ともいう。カバー側部２１１は、透光性カバー２１の側部に相当する部分である。カバー側部２１１は、側面透光部ともいう。カバー係合部２１２は、カバー側部２１１から取付方向に突き出た部分であり、支持部材２４の側部２４４と係り合い、透光性カバー２１を支持部材２４に取り付ける。透光性カバー２１は、カバー係合部２１２が支持部材２４の側部２４４の先端部２４６を覆って支持部材２４に取り付けられる。
以上のように、透光性カバー２１は、実装面３４０を覆う長尺を成す。また、透光性カバー２１は、長手方向の端部に開口部２０１が形成されている（図６の（ａ）参照）。透光性カバー２１は、支持部材２４に取り付けられた発光モジュール３０を覆うように支持部材２４に取り付けられる。支持部材２４の側部２４４には透光性カバー２１の取付側の端部が取り付けられ、透光性カバー２１が支持部材２４に固定される。
【００２２】
＜＜端部カバー２２＞＞
図６は、本実施の形態に係る照明具２の端部を説明する分解図であり、（ａ）が端部カバー２２を外した状態の分解斜視図、（ｂ）が（ａ）の状態の分解側面図である。
図７は、本実施の形態に係る照明具２の端部を説明する拡大図であり、図８の（ｂ）のＢ−Ｂ断面の斜視図である。
図８は、本実施の形態に係る照明具２の端部を説明する拡大図であり、（ａ）が側面図、（ｂ）が（ｃ）のＡ−Ａ断面図、（ｃ）が（ｂ）のＢ−Ｂ断面図である。
図９は、本実施の形態に係る照明具２の端部を説明する拡大図であり、図８の（ｂ）のＡ部拡大図である。
図６から図９を用いて、照明具２の端部における端部カバー２２および端部カバー２２の取り付け構造について説明する。
【００２３】
図６および図７に示すように、支持部材２４の電源取付部２４２には、発光モジュール３０に電力を供給する給電線材４４が設置される。図３に示すように、給電線材４４は、配線ホルダ４８により、電源取付部２４２の側縁部２４３の一方に寄せられて固定されている。給電線材４４は、照明具２の端部において配線クランプ４７により固定される。図７に示すように、給電線材４４は、基板３４の端面３４２を介して、支持部材２４の基板取付部２４１に取り付けられた基板３４の実装面３４０の端部３４４に配線される。基板３４の実装面３４０において、給電線材４４の給電コネクタ４５と発光モジュール３０の基板コネクタ３３とが接続される。このようにして、基板３４に電力を供給することが可能となる。給電線材４４と給電コネクタ４５と基板コネクタ３３とは、発光素子３１に電力を供給する導電部２０５である。導電部２０５は実装面３４０に配置されている。
【００２４】
端部カバー２２は、開口部２０１を塞ぐ閉塞部２０２ともいう。端部カバー２２は、底部２２０と、周部２２１と、第１突出片２２２と、第２突出片２２５とを備える。底部２２０は、第２突出片２２５突出部の基端部となっており、開口部２０１を閉塞する。周部２２１は、底部２２０の周縁から透光性カバー２１に向かって形成されている。嵌合部２９９は、周部２２１の先端から透光性カバー２１に向かって形成され、開口部２０１の縁部と嵌り合う。底部２２０は端面部ともいう。周部２２１は周面部ともいう。第１突出片２２２は、取付ガイド部ともいう。第２突出片２２５は、支持片、あるいは、捕捉部ともいう。端部カバー２２は、第２外郭部の例である。端部カバー２２は、開口部２０１を介して透光性カバー２１の内部に突き出している突出部２０３を備える。突出部２０３は、２つの支持片２０６を有する。第２突出片２２５は支持片２０６の例である。図７に示すように、導電部２０５は、２つの第２突出片２２５の間の実装面３４０に配置されている。また、突出部２０３は、導電部２０５と離間して配置されている。
【００２５】
＜＜＜端部カバー２２の取り付けについて＞＞＞
図６の（ｂ）に示すように、配線クランプ４７は、支持部材２４と透光性カバー２１とが組み立てられた状態で、透光性カバー２１の端面から突出するガイド部４７１を備える。
まず、端部カバー２２の第１突出片２２２の上面である対向面部２２４を透光性カバー２１の端面から突出するガイド部４７１の下面に当接させて、端部カバー２２の位置決めをする。そして、その状態で端部カバー２２を透光性カバー２１の端面に押し込む。これにより、端部カバー２２の周部２２１から透光性カバー２１に向かって突き出した嵌合部２９９と透光性カバー２１の端面の縁部とが嵌り合い、端部カバー２２が透光性カバー２１の端面に取り付けられる。なお、第１突出片２２２の下面、すなわち対向面部２２４の裏側面を照射側面部２２３とする。
【００２６】
第２突出片２２５は、端部カバー２２の底部２２０から、照明具２の長手方向における中央側に向かって、突き出すように形成されている。
図８の（ｂ）に示すように、照明具２が組み立てられた状態では、第２突出片２２５は、基板３４の照射側に挿入される。そして、図８の（ｃ）に示すように、第２突出片２２５は基板３４の四隅の被捕捉部３４６と重なる。すなわち、２つの第２突出片２２５の各々は、実装面３４０の一端部の２つの角部、すなわち２つの被捕捉部３４６の各々と向き合っている。よって、第２突出片２２５は、導電部２０５が配置されていない実装面３４０と向き合っている。
図９に示すように、第２突出片２２５は基板３４の四隅の被捕捉部３４６とＬ１の長さ分重なる。すなわち、第２突出片２２５は基板３４の四隅の被捕捉部３４６とＬ１の長さ分オーバーラップしている。また、図８の（ｃ）に示すように、被捕捉部３４６の短手方向の幅をＷ１とする。第２突出片２２５は、基板３４の四隅の被捕捉部３４６と、長手方向がＬ１の長さ分、短手方向がＷ１の幅分重なる。この被捕捉部３４６は、被規制部、あるいはオーバーラップ部ともいう。
【００２７】
仮に、基板３４が支持部材２４から剥離する場合、基板３４の全面が基板取付部２４１から同時に剥離することは稀である。よって、剥離した状態では、基板３４は基板取付部２４１に対して傾斜した状態となることが想定される。この点を勘案すると、Ｗ１の最小寸法は、基板３４が剥離して短手方向に傾斜した状態であっても基板３４の端部が第２突出片２２５に捕捉される寸法であることが好ましい。そして、Ｌ１の最小寸法は、基板３４が端部側から剥離（端部付近のみが剥離）して長手方向に傾斜した状態であっても、基板３４の端部が第２突出片２２５に捕捉される寸法であることが好ましい。なお、Ｌ１を必要以上に大きくし過ぎると、発光素子３１からの光の経路上に第２突出片２２５が配置されることにより、光の取出し効率が低下するおそれがある。よって、Ｌ１は、第２突出片２２５が発光素子３１からの一次光の経路の領域外に配置されるように決定されていることが好ましい。
具体例としては、Ｗ１は、基板３４の短手方向の幅の１／１２から１／８程度の長さが望ましい。特に、基板３４の短手方向の幅の１／１０程度が望ましい。また、Ｌ１はＷ１の２倍から３倍程度の長さが望ましい。このように、Ｗ１およびＬ１の長さを選択することにより、導電部２０５と干渉せずに確実に基板３４の脱落を防ぐとこができる。なお、このようなＷ１およびＬ１の長さの具体例は一例であり、その他の寸法であっても構わない。
【００２８】
＊＊＊本実施の形態の効果の説明＊＊＊
粘着テープ、接着剤といった接着部材４９を用いて基板３４が支持部材２４に接着固定された長尺状の照明具２は、収縮率が異なる基板３４と支持部材２４との伸縮差が、基板３４における長手方向の両側の端部３４４付近で最大となる。
つまり、設計寿命あるいは保証寿命を超えて長期間に渡って使用された場合には、基板３４の端部３４４では支持部材２４から基板３４が剥離する可能性が高くなると考えられる。
このため、基板３４の両側の端部３４４付近において、照射側への基板３４の移動を規制することができれば、基板３４の全体が支持部材２４から剥離あるいは脱落するおそれがなくなる。よって、照明装置５００が危険な故障モードに陥ることを回避することができる。このように、本実施の形態によれば、照明装置５００をフェールセーフ構造とすることができる。
【００２９】
図６の（ｂ）および図９に示すように、第２突出片２２５は、基板３４に対向する対向面部２３０と、対向面部２３０の裏側の照射側面部２２９を備える。また、第２突出片２２５は、突出部分の基端部分である基端部２２６と、突出部分の先端部分である先端部２２７とを備える。
照明具２が組み立てられた状態では、第２突出片２２５の対向面部２３０と基板３４の実装面３４０とは所定の間隔Ｓ１を保って対向している。すなわち、第２突出片２２５は、実装面３４０との間に隙間２０４が形成された状態で実装面３４０と向き合っている。また、第２突出片２２５の対向面部２３０と発光素子３１とは所定の間隔Ｓ２を保って対向している。
このため、通常の使用状態では、第２突出片２２５の対向面部２３０と基板３４の実装面３４０とが接触しない。また、通常の使用状態では、第２突出片２２５の対向面部２３０と発光素子３１とが接触しない。よって、きしみあるいは擦れによって異音を発生させるおそれがない。また、温度あるいは乾湿などに伴う実装面の方向への基板３４の移動を規制しない、すなわち、基板３４が第２突出片２２５に対して自由に変位可能な配置構造であるので照明具２を損傷させるおそれがない。このように、本実施の形態によれば、照明装置５００をストレスフリー構造とすることができる。
【００３０】
透光性カバー２１、支持部材２４、および基板３４は、使用される材料に応じてそれぞれ固有の膨張係数を有する。つまり、温度あるいは乾湿などの使用環境要因による、透光性カバー２１、支持部材２４、および基板３４の、膨張または収縮の量、すなわち伸び縮みの寸法はそれぞれ異なる値となる。また、照明具２は長尺状をなしており、それぞれの膨張または収縮の量は、短手方向に対して長手方向の方が大きくなる。さらに、それぞれの膨張または収縮の量は、照明具２の長手方向における中央寄りの部分に対して端部寄りの部分の方が大きくなる。この結果、照明具２の長手方向における端部寄りの部分では、それぞれ異なる大きな量の膨張または収縮が発生し、それぞれの部材間の相互の位置関係が比較的大きく相対変位する場合がある。ところで、基板３４は支持部材２４に接着固定されているため、支持部材２４と略同じ量の膨張または収縮をすると想定される。このため、端部カバー２２が備える第２突出片２２５と基板３４の長手方向における端部寄りの部分との相対変位も大きなものとなる場合がある。このように、基板３４と第２突出片２２５とが所定の間隔を有して配置され、ストレスフリーな関係にあることは、それぞれの部材間の大きな相対変位に対して効果がある。なお、厳密には、基板３４を支持部材２４に接着固定するために用いる接着部材の膨張収縮あるいは弾性変形によって、支持部材２４に対して基板３４が若干相対的に変位する場合がある。しかし、端部カバー２２が備える第２突出片２２５と基板３４とがストレスフリーな関係にあることは、このような小さな相対変位に対しても効果がある。
【００３１】
第２突出片２２５の対向面部２３０と基板３４の実装面３４０との間隔Ｓ１は、支持部材２４の成形誤差、端部カバー２２の成形誤差、組み立てによる支持部材２４と端部カバー２２との配置の誤差、基板３４の厚さ寸法の誤差、および基板３４を支持部材２４に接着固定する接着剤の塗布量（厚さ寸法）の誤差の許容値を勘案して決定されることが好ましい。なお、本実施の形態では、第１突出片２２２が実質的に支持部材２４と端部カバー２２（第２突出片２２５）との配置関係を決定している。よって、端部カバー２２（第２突出片２２５）の成形誤差、基板３４の厚さ寸法の誤差、および基板３４を支持部材２４に接着固定する接着剤の塗布量（厚さ寸法）の誤差、の許容値を勘案して決定される寸法でもよい。
第２突出片２２５の対向面部２３０と発光素子３１との間隔Ｓ２は、上記に加えて、採用される発光素子３１の外形寸法、発光素子３１の実装誤差（基板の厚み方向の実装高さの誤差）の許容値を勘案して決定されることが好ましい。なお、Ｓ１，Ｓ２を大きくし過ぎると照明装置が大型化したり、発光素子３１からの光の経路上に第２突出片２２５が配置されることにより光の取出し効率が低下したりするおそれがある。よって、Ｓ１，Ｓ２は、第２突出片２２５が発光素子３１からの一次光の経路の領域外に配置されるように決定されていることが好ましい。
【００３２】
＊＊＊他の構成＊＊＊
図１０を用いて、本実施の形態に係る端部カバー２２の変形例について説明する。
【００３３】
＜変形例１：端部カバー２２ａ＞
図１０の（ａ）は、一つの第２突出片２２５ａを有する端部カバー２２ａを備えた照明具２ａを示す図である。端部カバー２２ａは、照明具２が組み立てられた状態で、２つの給電線材４４の間に１つの第２突出片２２５ａが配置されるように形成されている。また、端部カバー２２ａは、照明具２が組み立てられた状態で、最端部の発光素子３１に第２突出片２２５ａが干渉しないように形成されている。このように、端部カバー２２ａでは、給電線材４４あるいは発光素子３１といった回路部品３２との干渉が生じないように、第２突出片２２５ａの寸法と形状を調整する。
照明具２ａによれば、より簡素な構成で端部カバー２２ａを実現でき、材料コストの抑制および組立性の向上が期待できる。
【００３４】
＜変形例２：端部カバー２２ｂ＞
図１０の（ｂ）は、二つの第２突出片２２５と一つの第２突出片２２５ａとを有する端部カバー２２ｂを備えた照明具２ｂを示す図である。端部カバー２２ｂは、実施の形態１と変形例１とを組み合わせた態様である。端部カバー２２ｂは、３つの第２突出片を備えている。２つの第２突出片２２５は、基板３４の被捕捉部３４６と重なっている。また、一つの第２突出片２２５ａは、２つの給電線材４４の間に配置される。
端部カバー２２ｂによれば、２つの第２突出片２２５と一つの第２突出片２２５ａを備えているので、より確実に基板３４の脱落を防止することができる。
【００３５】
＜変形例３：端部カバー２２ｃ＞
図１０の（ｃ）では、２つの第２突出片２２５ｂと一つの第２突出片２２５ｃとによって、給電線材４４を保持するホールド機能を兼ね備えた端部カバー２２ｃを備えた照明具２ｃを示している。端部カバー２２ｃは、変形例２の態様を発展させた態様である。２つの第２突出片２２５ｂと１つの第２突出片２２５ｃとの各々の第２突出片は、角部が曲線を成す略矩形形状に形成されている。端部カバー２２ｃは、２つの第２突出片２２５ｂの各々と１つの第２突出片２２５ｃとの間に形成される２つの切欠き部２２８の各々に、給電線材４４を保持する。
端部カバー２２ｃによれば、実装面３４０の側に給電線材４４の余長を残さずに、給電線材４４を配線することができる。
【００３６】
変形例２と変形例３とは、第２突出片の形状が異なっているが、以下の点で共通する。まず、給電線材４４と給電コネクタ４５と基板コネクタ３３とから成る導電部は、入力側および出力側の２つの導電部を有している。突出部２０３は、並んで突き出した３つの第２突出片を有している。３つの第２突出片のうち両端の２つの第２突出片の各々は、実装面３４０の一端部の２つの角部の各々と向き合っている。また、３つの第２突出片のうち真ん中の第２突出片は、２つの導電部の間の実装面３４０に向き合っている。
【００３７】
＜変形例４：端部カバー２２ｄ＞
図１０の（ｄ）は、基板３４の端部の幅方向の全体を覆う第２突出片２２５ｄを有する端部カバー２２ｄを備えた照明具２ｄを示す図である。この端部カバー２２ｄは、発光モジュール３０において、給電線材４４の配線経路とならない非給電側の端部に好適な態様の端部カバー２２ｄである。
端部カバー２２ｄによれば、基板３４の幅方向の全体に渡って形成された一つの第２突出片２２５ｄを備えているので、基板３４と重なる面積が大きくでき、より確実に基板３４の脱落を防止することができる。
【００３８】
＜変形例５：配線クランプ＞
図示は省略するが、図６あるいは図７の配線クランプ４７に替えて、基板３４の端部の幅方向の少なくとも一部を覆うように形成されたクランプ突出片を有する配線クランプを用いてもよい。
配線クランプは、基板３４の端部の近くに配置できるので、確実に基板３４の脱落を防止することができる。
また、照明具が組立てられる際、カバーが装着される前の工程においても基板が脱落することを防止することができる。
なお、変形例５では、配線クランプを例示しているが、これに限らず、長手方向における端部に配置されているほかの構成を用いて同様の機能を実現してもよい。
【００３９】
実施の形態２．
本実施の形態では、実施の形態１と異なる点について説明する。実施の形態１と同様の構成には、同一の符号あるいは同一の名称を付し、その説明を省略する場合がある。
本実施の形態に係る照明装置８００は、造営部９００に取り付けられる。照明装置８００は、直管型ＬＥＤランプを取り付けた長尺状を成す。照明装置８００は、直管ＬＥＤランプ装置ともいう。
【００４０】
図１１は、本実施の形態に係る照明装置８００の斜視図である。
図１２は、本実施の形態に係る照明具７の分解斜視図であり、透光性カバー７１の内部を説明する図である。
図１３は、本実施の形態に係る照明具７の軸方向に沿った断面図であり、（ａ）は発光モジュール８０を切る面で切断した断面図、（ｂ）は発光モジュール８０の実装面８４０に対向する面で切断した断面図である。
図１４は、本実施の形態に係る照明具７の端部を説明する拡大図であり、（ａ）が図１３の（ａ）のＢ部、（ｂ）が図１３の（ａ）のＣ部である。
図１５は、本実施の形態に係る照明具７の軸方向に直交する断面図であり、（ａ）が支持口金７２の方を見た断面図、（ｂ）が給電口金７５の方を見た断面図である。
【００４１】
照明装置８００は、直管型ＬＥＤランプである照明具７と、照明具７を着脱可能に取り付ける照明器具６とを有する。
【００４２】
＜照明器具６の説明＞
照明器具６は、器具本体６０と、支持ソケット６１と、給電ソケット６２とを備える。器具本体６０の内部には、電源装置６３が設置される。電源装置６３は、電源ケース６３０を備え、電源ケース６３０の内部に電源ユニットを収納する。
【００４３】
＜照明具７の説明＞
本実施の形態に係る照明具７は、直管型ＬＥＤランプである。
照明具７は、外郭部７０と、発光モジュール８０と、支持部材８５とを備える。
外郭部７０は、透光性カバー７１と、支持口金７２と、給電口金７５とから構成される。透光性カバー７１は第１外郭部の例である。支持口金７２は第２外郭部の例である。給電口金７５は第３外郭部の例である。
【００４４】
＜＜透光性カバー７１＞＞
透光性カバー７１は、両端面に開口部８０１が形成された中空状の円管である。なお、透光性カバー７１は、円管以外の筒管であってもよい。透光性カバー７１は、後述する支持部材８５を内部に収納する。透光性カバー７１は、透明または半透明の樹脂あるいはガラスにより形成されている。
透光性カバー７１の内部には、発光モジュール８０が接着固定された支持部材８５が収納される。透光性カバー７１は、発光モジュール８０の全体を覆うカバー主部７１０と、円管の筒端部であるカバー端部７１１と、外周面である外周部７１２と、内周面である内周部７１３とを備える。
【００４５】
＜＜発光モジュール８０＞＞
発光モジュール８０は、基板８４と発光素子８１とを備える。基板８４の実装面８４０には発光素子８１が実装される。発光素子８１は、具体的には、ＬＥＤである。なお、発光素子８１は、有機ＥＬあるいはレーザといった発光素子でもよい。また、基板８４の接着面８４１は、支持部材８５の基板取付部８５１に接着部材８６により接着される。
【００４６】
＜＜支持部材８５＞＞
支持部材８５は、発光モジュール８０の基板８４を取り付ける基板取付部８５１を有する。支持部材８５は、発光素子８１から発せられる熱を放熱する。支持部材８５は、長尺状を成し、透光性カバー７１の内周部７１３に沿って取り付けられる。支持部材８５は、透光性カバー７１の内周部７１３に取り付けられる断面円弧状の部材取付部８５０と、基板８４の接着面８４１が接着される基板取付部８５１とを備える。部材取付部８５０は、図１５の（ａ），（ｂ）に示すように、基板取付部８５１の両側に張り出した張出部８５２と、内周部７１３に対向する対向部８５６とを備える。部材取付部８５０の内部には、端部から口金を介してねじ込まれるねじ８７を固定するねじ固定部８５４が形成されている。ねじ固定部８５４には、ねじ孔８５５が形成される。
支持部材８５は、発光モジュール８０を取り付ける台座である。また、支持部材８５は、発光素子８１から発せられる熱を放熱するヒートシンクである。支持部材８５は、発光素子８１からの熱を放熱するためにアルミニウムといった熱伝導率の高い材料で形成されている。
【００４７】
＜＜支持口金７２＞＞
支持口金７２は、透光性カバー７１の一方の端部を塞ぐように取り付けられる。支持口金７２は、筐体部７２０と、支持端子７４０とを備える。
筐体部７２０は、底部７２１と底部７２１の周縁に設けられた側壁である周部７２２とを備える茶筒蓋形状である。筐体部７２０は、断面が「コ」字状、あるいは、底部７２１が円形状のキャップ形状をなしている。底部７２１は端面部ともいう。周部７２２は周面部ともいう。また、筐体部７２０は、底部７２１の内側から突き出した第１突出片７２３と第２突出片７２６とを備える。
第１突出片７２３は、支持部材８５に当接する当接部７２４と、ねじ８７が挿入されるねじ孔７２５とを備える。第１突出片７２３は、ねじ固定部の例である。
図１４の（ａ），（ｂ）に示すように、第２突出片７２６は、基板８４に対向する対向面部７３１と、対向面部７３１の裏側の照射側面部７３０を備える。また、図１３の（ａ），（ｂ）に示すように、第２突出片７２６は、突出部分の基端部分である基端部７２７と、突出部分の先端部分である先端部７２８とを備える。
支持端子７４０は、底部７２１の略中央から、軸方向外側に突き出た１極のＴ字ピンである。支持端子７４０は、照明具７を照明器具６に支持する。支持端子７４０は、照明器具６の支持ソケット６１に取り付けられる。支持端子７４０は、照明装置８００の接地のための端子でもよい。支持端子７４０は、支持部７４１と、底部７２１を貫通する貫通部７４２と、底部７２１の内側に突出する端子突出部７４３とを備える。支持口金７２は、開口部８０１を塞ぐ閉塞部８０２の例である。
【００４８】
＜＜給電口金７５＞＞
給電口金７５は、透光性カバー７１の他方の端部を塞ぐように取り付けられる。給電口金７５は、筐体部７５０と、給電端子７７０とを備える。
筐体部７５０は、底部７５１と底部７５１の周縁に設けられた側壁である周部７５２とを備える茶筒蓋形状である。筐体部７５０は、断面が「コ」字状、あるいは、底部７５１が円形状のキャップ形状をなしている。底部７５１は端面部ともいう。周部７５２は周面部ともいう。また、筐体部７５０は、底部７５１の内側から突き出した第１突出片７５３と第２突出片７５６とを備える。
第１突出片７５３は、支持部材８５に当接する当接部７５４と、ねじ８７が挿入されるねじ孔７５５とを備える。第１突出片７５３は、ねじ固定部の例である。
図１４の（ａ），（ｂ）に示すように、第２突出片７５６は、基板８４に対向する対向面部７６１と、対向面部７６１の裏側の照射側面部７６０を備える。また、図１３の（ｂ）に示すように、第２突出片７５６は、突出部分の基端部分である基端部７５７と、突出部分の先端部分である先端部７５８とを備える。
給電端子７７０は、底部７５１から、軸方向外側に突き出た２極のＬ字ピンである。給電端子７７０は、照明具７に電力を供給する。給電端子７７０は、照明器具６の給電ソケット６２に取り付けられる。給電端子７７０は、給電ソケット６２を介して電源装置６３からの電力を照明具７に供給する。給電端子７７０は、給電部７７１と、底部７５１を貫通する貫通部７７２と、底部７５１の内側に突出する接続部７７３とを備える。接続部７７３は、基板８４の実装面８４０のはんだ付け部８４７にはんだ付けされる。なお、接続部７７３を電線に接続し、基板８４の実装面８４０の基板コネクタに接続してもよい。給電口金７５は、開口部８０１を塞ぐ閉塞部８０２の例である。
【００４９】
透光性カバー７１と発光モジュール８０と支持部材８５とが組み立てられた状態で、支持口金７２および給電口金７５が取り付けられる。支持口金７２および給電口金７５が取り付けられると、第２突出片７２６，７５６は、底部７２１，７５１から、照明具７の長手方向における中央側に向かって突き出すように配置される。
図１３の（ｂ）および図１４の（ａ），（ｂ）に示すように、照明具７が組み立てられた状態では、第２突出片７２６，７５６は基板８４の被捕捉部８４６とＬ２の長さ分重なる。すなわち、第２突出片７２６，７５６は基板８４の被捕捉部８４６とオーバーラップしている。この被捕捉部８４６は、被規制部、あるいはオーバーラップ部ともいう。
【００５０】
図１３の（ｂ）に示すように、第２突出片７２６の幅Ｗ７は、基板８４の幅の３分の１以上であることが望ましい。第２突出片７２６の幅Ｗ７が基板８４の幅の３分の１以上であれば、基板８４の脱落を確実に防ぐことが可能である。
また、図１３の（ｂ）に示すように、第２突出片７５６が、はんだ付け部８４７および回路部品８２との干渉が生じないように、第２突出片７５６の寸法と形状を調整する。はんだ付け部８４７と第２突出片７５６とは、発光素子８１に電力を供給する導電部８０５の例である。
【００５１】
以上のように、本実施の形態に係る照明具７は、透光性カバー７１の一方の端部に取り付けられ、導電部８０５に接続された給電口金７５と、透光性カバー７１の他方の端部に取り付けられ、照明具７を支持する支持口金７２との２つの閉塞部８０２を備えている。
また、実施の形態１と同様に、突出部８０３は、支持片８０６として第２突出片を有する。
【００５２】
＊＊＊本実施の形態の効果の説明＊＊＊
粘着テープ、接着剤といった接着部材８６を用いて基板８４が支持部材８５に接着固定された長尺状の照明具７は、収縮率が異なる基板８４と支持部材８５との伸縮差が、基板８４における長手方向の両端部付近で最大となる。つまり、設計寿命あるいは保証寿命を超えて長期間に渡って使用された場合には、基板８４の長手方向の端部では支持部材８５から基板８４が剥離する可能性が高くなると考えられる。
このため、基板８４の長手方向における両端部付近において、照射側への基板８４の移動を規制することができれば、基板８４の全体が支持部材８５から剥離あるいは脱落するおそれがなくなる。よって、照明装置８００が危険な故障モードに陥ることを回避することができる。このように、本実施の形態によれば、直管型ランプを用いる照明装置８００をフェールセーフ構造とすることができる。
【００５３】
照明具２が組み立てられた状態では、第２突出片７２６，７５６の対向面部７３１，７６１と基板８４の実装面８４０とは所定の間隔Ｓ３を保って対向している。すなわち、第２突出片７２６，７５６は、実装面８４０との間に隙間８０４が形成された状態で実装面８４０と向き合っている。
このため、通常の使用状態では、第２突出片７２６，７５６の対向面部７３１，７６１と基板８４の実装面８４０とが接触しない。よって、きしみあるいは擦れによって異音を発生させるおそれがない。また、温度あるいは乾湿などに伴う実装面の方向への基板８４の移動を規制しないので照明具７を損傷させるおそれがない。このように、本実施の形態によれば、照明装置８００をストレスフリー構造とすることができる。
【００５４】
＊＊＊他の構成＊＊＊
図１６を用いて、本実施の形態に係る口金の変形例について説明する。
【００５５】
＜変形例１：支持口金７２ａおよび給電口金７５ａ＞
図１６の（ａ）は、支持口金７２ａおよび給電口金７５ａを備えた照明具７ａを示す図である。支持口金７２ａは、基板８４の一端部の２つの角部と重なる２つの第２突出片７２６ａを有する。給電口金７５ａは、基板８４の他端部の２つの角部と重なる２つの第２突出片７５６ａを有する。
支持口金７２ａおよび給電口金７５ａによれば、基板８４の４隅と重なる第２突出片を備えているので、より確実に基板８４の脱落を防止することができる。
【００５６】
＜変形例２：支持口金７２ｂおよび給電口金７５ｂ＞
図１６の（ｂ）は、支持口金７２ｂが一つの第２突出片７２６ｂを有し、給電口金７５ｂが一つの第２突出片７５６ｂを有する照明具７ｂを示す図である。
照明具７ｂによれば、より簡素な構成で支持口金７２ｂおよび給電口金７５ｂを実現でき、材料コストの抑制および組立性の向上が期待できる。
【００５７】
＜変形例３：支持口金７２ｃ＞
図１６の（ｃ）は、支持端子７４０ｃが基板８４と重なるまで延設された端子突出部７４３ｃを有する支持口金７２ｃを備えた照明具７ｃを示す図である。この支持口金７２ｃでは、基板８４と重なるまで延設された端子突出部７４３ｃを第２突出片として機能させている。
照明具７ｃによれば、より簡素な構成で支持口金７２ｃを実現でき、材料コストの抑制および組立性の向上が期待できる。
【００５８】
実施の形態３．
本実施の形態では、実施の形態１と異なる点について説明する。実施の形態１と同様の構成には、同一の符号あるいは同一の名称を付し、その説明を省略する場合がある。
本実施の形態に係る照明装置５００ｆは、造営部９００に取り付けられる。照明装置５００ｆは、長手方向に延びた長尺状を成す。
【００５９】
図１７は、本実施の形態に係る照明装置５００ｆの斜視図である。
図１８は、本実施の形態に係る照明装置５００ｆの組立斜視図である。
図１９は、本実施の形態に係る照明具２ｆの部分分解斜視図である。
図２０は、本実施の形態に係る照明装置５００ｆの軸方向に直交する断面図であり、図１７のＣ−Ｃ断面図である。
図２１は、本実施の形態に係る照明具２ｆの端部を説明する拡大図であり、（ａ）および（ｂ）が、それぞれ別の角度から見た斜視図、（ｃ）が（ａ）のＤ−Ｄ断面図である。
図２２は、本実施の形態に係る基板捕捉部材３５の取り付けを説明する図であり、（ａ）が組立斜視図、（ｂ）から（ｄ）が組立断面図である。
【００６０】
照明装置５００ｆは、天井あるいは壁といった造営部９００に取り付けられる照明器具１ｆと、照明器具１ｆに着脱可能に取り付けられる照明具２ｆとを有する。照明装置５００ｆは、光源一体型ＬＥＤベースライトともいう。
【００６１】
＜照明器具１ｆの説明＞
照明器具１ｆは、器具本体１０ｆと、器具本体１０ｆの両端部に取り付けられる端板部１５ｆとを備える。
器具本体１０ｆは、コの字状に折り曲げられて形成され、長手方向に延びたユニット取付部１１ｆを備える。器具本体１０ｆは、板金が折り曲げられて形成される。ユニット取付部１１ｆには、照明具２ｆの一部が取り付けられる。また、ユニット取付部１１ｆは、照明具２ｆに取り付けられた電源ユニット４０ｆを収容する収容部ともいう。
端板部１５ｆは、器具本体１０ｆの端面を塞ぐように器具本体１０ｆに取り付けられる。
【００６２】
ユニット取付部１１ｆは、長手方向に延びた底面部１１１ｆと、底面部１１１ｆの短手方向の両端部を基端部として立ち上がる側面部１１２ｆとを備える。また、ユニット取付部１１ｆは、側面部１１２ｆの先端部を開口縁部１１３ｆとする開口１１４ｆが形成される。開口１１４ｆは、照明器具１ｆのユニット取付部１１ｆに対して、照明具２ｆの着脱を行う際の装着口となる。
【００６３】
ユニット取付部１１ｆの長手方向における両端部には、固定部１６が設けられている。固定部１６には、照明具２ｆが取り付けられる。本実施の形態では、固定部１６は、端板部１５ｆと一体に形成されている。固定部１６は、長手方向における開口縁部から長手方向における中央の側に向って、折り曲げて形成されている。取付ねじ孔１６１は、あらかじめ照明具２ｆに装着された、取付ねじ４６１がねじ込まれる孔である。取付ねじ４６１がねじ止めされることによって、照明器具１ｆに照明具２ｆが装着される。
【００６４】
＜照明具２ｆの説明＞
本実施の形態に係る照明具２ｆは、照明器具１ｆに装着されて使用される。本実施の形態では、長手方向における両端部にあらかじめ取り付けられた取付ねじ４６１によって照明器具１ｆの固定部１６に装着される。端部カバー２２ｆには排水孔２３１ｆが形成されており、ねじ止めする際にドライバといった工具を挿入する挿入孔を兼ねる。排水孔２３１ｆは、取付蓋４６３によって排水可能な隙間を有して塞がれている。
【００６５】
照明具２ｆは、外郭部２０ｆと発光モジュール３０ｆとを備える。本実施の形態では、外郭部２０ｆは、透光性カバー２１ｆと、端部カバー２２ｆと、ユニット側取付具４６ｆとを備える。
【００６６】
＜＜透光性カバー２１ｆ＞＞
透光性カバー２１ｆは、基板３４ｆの実装面３４０ｆを覆う長尺を成す。透光性カバー２１ｆは、長手方向の端部に開口部２０１ｆが形成されている。
透光性カバー２１ｆは、両端面に開口部２０１ｆが形成された中空状の筒管である。透光性カバー２１ｆは、実施の形態１と同様に、少なくとも可視光を透過する透光性の材料を用いて形成されている。透光性カバー２１ｆは、発光モジュール３０ｆ、発光モジュール３０ｆが接着固定された支持部材２４ｆ、および電源ユニット４０ｆなどを内部に収容し、これらの部材を保護する。
透光性カバー２１ｆは、発光モジュール３０ｆの全体を覆うカバー主部２１０ｆと、円管の筒端部であるカバー端部２１３ｆと、外周面である外周部２１４ｆと、内周面である内周部２１５ｆとを備える。
透光性カバー２１ｆは、押出成形による筒形部材といった成形部材を、製品の仕様などに応じて必要な長さに切断することで、製造することができる。
【００６７】
透光性カバー２１ｆにおいて、発光モジュール３０ｆからの光を透過する部分は、少なくとも可視光を透過する透光性の材料、例えば、透明または半透明の樹脂材料あるいはガラスを用いて形成されている。樹脂材料は、例えば、ポリカーボネイト、アクリルなどの材料を用いることができる。なお、透光性カバー２１ｆは、製品の仕様などに応じて、光拡散性、波長弁別性などを有するものであってもよい。そして、透光性カバー２１ｆは、外部に露出していない部分を、反射性、遮光性などを有する材料を用いて形成してもよい。
透光性カバー２１ｆにおいて、ユニット取付部１１ｆから外部に露出している部分は照明装置５００ｆの外観意匠部分になる。
【００６８】
＜＜端部カバー２２ｆ＞＞
端部カバー２２ｆは、カバー端部２１３ｆを覆うようにして透光性カバー２１ｆの両端部に取り付けられている。カバー端部２１３ｆと端部カバー２２ｆとの間には、封止具２８２ｆが装着されている。端部カバー２２ｆは、封止具２８２ｆを挟んでカバー端部２１３ｆに嵌着あるいは嵌合される。これにより、照明具２ｆは密閉構造となる。端部カバー２２ｆは、開口部２０１ｆを塞ぐ閉塞部２０２ｆともいう。
【００６９】
＜＜ユニット側取付具４６ｆ＞＞
ユニット側取付具４６ｆは、照明具２ｆの長手方向の両端部に備えられる。ユニット側取付具４６ｆは、照明具２ｆを照明器具１ｆに取り付けるための取付金具である。本実施の形態では、ユニット側取付具４６ｆは、金属製の板材を折り曲げて形成されているものとする。ただし、これに限定するものではなく、押出成形など、他の方法で形成されてもよい。
ユニット側取付具４６ｆは、照明器具１ｆの固定部１６に当接する。ユニット側取付具４６ｆには、あらかじめ、ワッシャー４６２を装着した取付ねじ４６１が、ユニット側取付具４６ｆから外れないように装着される。取付ねじ４６１が、取付ねじ孔１６１にねじ込まれ、ねじ止めされることによって、照明具２ｆが照明器具１ｆに装着される。
支持部材２４ｆの端部には、固定ねじ４６４ｆにより端部部材２０９ｆが固定される。ユニット側取付具４６ｆは、端部カバー２２ｆと封止具２８２ｆを間に挟んだ状態で、支持部材２４ｆの端部に固定された端部部材２０９ｆを介して、支持部材２４に固定される。ユニット側取付具４６ｆは、固定ねじ４６３ｆを用いて支持部材２４ｆの端部部材２０９ｆに固定される。
【００７０】
ユニット側取付具４６ｆは、発光モジュール３０ｆ、発光モジュール３０ｆが接着固定された支持部材２４ｆ、および電源ユニット４０ｆを、透光性カバー２１ｆ内に固定させる部材である。上述のように、支持部材２４ｆは、固定ねじ４６３ｆによって、端部カバー２２ｆおよびユニット側取付具４６ｆに固定される。このような構造により、支持部材２４ｆは、透光性カバー２１ｆの内部に収容される。したがって、支持部材２４ｆは、透光性カバー２１ｆには直接固定されていないが、透光性カバー２１ｆの長手方向における両側のカバー端部２１３ｆに嵌合あるいは嵌着している端部カバー２２ｆを介して、透光性カバー２１ｆに繋がっている。
【００７１】
＜＜基板捕捉部材３５＞＞
支持部材２４ｆの一端部２４９ｆと基板３４ｆの一端部３４９ｆとの間には、基板捕捉部材３５が配置されている。基板捕捉部材３５は、支持部材２４ｆに形成された固定孔２４７ｆに取り付けられている。本実施の形態では、固定孔２４７ｆは、支持部材２４ｆの短手方向に沿って長い矩形状の貫通孔である。
【００７２】
実施の形態１と同様に、発光モジュール３０ｆは、基板３４ｆと発光素子３１ｆを備える。すなわち、支持部材２４ｆの基板取付部２４１ｆには、実装面３４０ｆに発光素子３１ｆが実装された基板３４ｆが配置される。
本実施の形態では、基板３４ｆの長手方向の一端部３４９ｆは、基板取付部２４１ｆの長手方向の一端部２４９ｆより基板取付部２４１ｆの中央部の側に位置している。基板３４ｆの長手方向の長さより、基板取付部２４１ｆの長手方向の長さが長い。このため、基板３４ｆの長手方向の一端部３４９ｆと、基板取付部２４１ｆの長手方向の一端部２４９ｆとの間に、基板取付部２４１ｆが露出する部分がある。このように、基板３４ｆの長手方向の一端部３４９ｆと、基板取付部２４１ｆの長手方向の一端部２４９ｆとの間の基板取付部２４１ｆの部分を、取り付け端部２９４ｆとする。
【００７３】
支持部材２４ｆの基板取付部２４１ｆには、基板取付部２４１ｆの長手方向の一端部２４９と基板３４ｆの長手方向の一端部３４９ｆとの間の位置に固定孔２４７ｆが形成される。固定孔２４７ｆには、基板捕捉部材３５が挿入される。基板捕捉部材３５は、固定孔２４７ｆに挿入される取付部３５１と、取付部３５１が固定孔２４７ｆに挿入された状態で、実装面３４０ｆと向き合う突出部３５９とを有する。
突出部３５９は、基板取付部２４１ｆにおいて、基板取付部２４１ｆの長手方向の一端部２４９ｆと基板３４ｆの長手方向の一端部３４９ｆとの間の位置に設けられている。突出部３５９は、基板３４ｆよりも閉塞部２０２ｆすなわち端部カバー２２ｆの側から、透光性カバー２１ｆの内部に向って突き出している。また、突出部３５９は、実装面３４０ｆとの間に隙間が形成された状態で実装面３４０ｆと向き合っている。
【００７４】
基板捕捉部材３５について、より詳細に説明する。
基板捕捉部材３５は、弾性変形可能な材料を用いて形成されている。基板捕捉部材３５は、固定孔２４７ｆに挿着する際に弾性変形するように形成された取付部３５１を有する。取付部３５１は、支持部材２４ｆの長手方向における中央側に配置される第１固定部３５２、支持部材２４ｆの長手方向における端部側に配置される第２固定部３５３、および支持部材２４ｆの裏面である電源取付部２４２ｆの側において第１固定部３５２と第２固定部３５３とを弾性変形可能に繋いでいる弾性接続部３５４を有する。
【００７５】
第１固定部３５２は、支持部材２４ｆの裏面である電源取付部２４２ｆの側において第２固定部３５３とは反対側に突出するように形成される第１係止爪３５５を有する。第１係止爪３５５は電源取付部２４２ｆに沿って突出している。
第１固定部３５２の弾性接続部３５４とは反対側の端部には、第２固定部３５３と反対側に突出するように突出部３５９が形成されている。
突出部３５９には、基板取付部２４１ｆの取り付け端部２９４ｆに向って突出する第２係止爪３５６が形成されている。第２係止爪３５６の突出部３５９と反対側の端部は基板取付部２４１ｆに対して当接あるいは近接している。
【００７６】
第２固定部３５３は、支持部材２４ｆの裏面である電源取付部２４２ｆの側において第１固定部３５２とは反対側に突出するように形成された第３係止爪３５７と、支持部材２４ｆの表面である基板取付部２４１ｆの側において第１固定部３５２とは反対側に突出するように形成された第４係止爪３５８とを有する。第３係止爪３５７は電源取付部２４２ｆに沿って突出しており、第４係止爪３５８は基板取付部２４１ｆの取り付け端部２９４ｆに沿って突出している。
第２固定部３５３の弾性接続部３５４とは反対側の端部には、第１固定部３５２と反対側に突出するように操作片３６０が形成されている。
【００７７】
突出部３５９は、基板３４ｆの長手方向における一端部の被捕捉部３４６ｆとＬ３の長さ分重なる。すなわち、突出部３５９は基板３４ｆの四隅の長手方向における一端部の被捕捉部３４６ｆとＬ３の長さ分オーバーラップしている。また、図２１の（ｂ）に示すように、被捕捉部３４６ｆの短手方向の幅をＷ３とする。突出部３５９は、基板３４ｆの長手方向における一端部の被捕捉部３４６ｆと、長手方向がＬ３の長さ分、短手方向がＷ３の幅分重なる。この被捕捉部３４６ｆは、被規制部、あるいはオーバーラップ部ともいう。
【００７８】
第１係止爪３５５と第２係止爪３５６、および第３係止爪３５７と第４係止爪３５８は、それぞれ支持部材２４ｆの主部２４０ｆを挟持するように形成されている。このため、基板捕捉部材３５が支持部材２４ｆに取り付けられた状態では、第１固定部３５２、第２固定部３５３および弾性接続部３５４が固定孔２４７ｆから外れることはない。
【００７９】
＜＜照明具２ｆの製造方法＞＞
まず、実装面３４０ｆに発光素子３１ｆが実装された基板３４ｆが、基板取付部２４１ｆに配置される。そして、長手方向の端部に開口部２０１ｆが形成された透光性カバー２１ｆにより実装面３４０ｆが覆われるように、透光性カバー２１ｆが配置される。突出部３５９は、実装面３４０ｆとの間に隙間が形成された状態で、実装面３４０ｆと向き合うように配置される。突出部３５９は、基板３４ｆよりも、開口部２０１ｆを塞ぐ閉塞部２０２ｆの側から、透光性カバー２１ｆの内部に向って突き出している。
【００８０】
＜＜＜基板捕捉部材３５の取り付けについて＞＞＞
ここで、基板捕捉部材３５の取り付けについて、より詳しく説明する。
まず、図２２の（ｂ）に示すように、支持部材２４ｆの長手方向における中央側に第１固定部３５２を向けた状態で、第１係止爪３５５を基板取付部２４１ｆの側から固定孔２４７ｆに挿入する。
次に、図２２の（ｃ）に示すように、操作片３６０に力を加え、第１固定部３５２の側に近付くように基板捕捉部材３５を弾性変形させた状態で、第３係止爪３５７を基板取付部２４１ｆの側から固定孔２４７ｆに挿入する。
操作片３６０に加えていた力を解除すると、図２２の（ｃ）に示すように、第１係止爪３５５と第２係止爪３５６、および第３係止爪３５７と第４係止爪３５８は、それぞれ支持部材２４ｆの主部２４０ｆを挟持した状態で、基板捕捉部材３５が支持部材２４ｆの固定孔２４７ｆに取り付けられる。
なお、基板捕捉部材３５は、発光モジュール３０ｆ（基板３４ｆ）を支持部材２４ｆの基板取付部２４１ｆに取り付けた後に取り付けることが好ましい。
【００８１】
以上のように、本実施の形態に係る照明具２ｆは、筒状の透光性カバー２１ｆに収納された支持部材２４ｆの一方の端部に取り付けられた基板捕捉部材３５を備えている。
そして、基板捕捉部材３５は、支持部材２４ｆの少なくとも一方の端部に設けられた固定孔２４７ｆに取り付けるための取付部３５１を有する。取付部３５１は、第１固定部３５２および第２固定部３５３、第１固定部３５２から長手方向の中央に向って突き出している突出部３５９を有する。
【００８２】
＊＊＊本実施の形態の効果の説明＊＊＊
実施の形態１と同様に、本実施の形態に係る照明具２ｆによれば、基板３４ｆの端部３４４ｆ付近において、照射側への基板３４ｆの移動を規制することができる。よって、基板３４ｆの全体が支持部材２４ｆから剥離あるいは脱落するおそれがなくなる。よって、照明装置５００ｆが危険な故障モードに陥ることを回避することができる。このように、本実施の形態によれば、照明装置５００ｆをフェールセーフ構造とすることができる。
【００８３】
図２２の（ｄ）に示すように、突出部３５９は、基板３４ｆに対向する対向面部２３０ｆと、対向面部２３０ｆの裏側の照射側面部２２９ｆを備える。また、突出部３５９は、突出部分の基端部分である基端部２２６ｆと、突出部分の先端部分である先端部２２７ｆとを備える。
図２２の（ｃ）に示すように、照明具２ｆが組み立てられた状態では、突出部３５９の対向面部２３０ｆと基板３４ｆの実装面３４０ｆとは所定の間隔Ｓ４を保って対向している。すなわち、突出部３５９は、実装面３４０ｆとの間に隙間２０４ｆが形成された状態で実装面３４０ｆと向き合っている。また、突出部３５９の対向面部２３０ｆと発光素子３１ｆとは所定の間隔Ｓ５を保って対向している。
このため、通常の使用状態では、突出部３５９の対向面部２３０ｆと基板３４ｆの実装面３４０ｆとが接触しない。また、通常の使用状態では、突出部３５９の対向面部２３０ｆと発光素子３１ｆとが接触しない。よって、きしみあるいは擦れによって異音を発生させるおそれがない。また、温度あるいは乾湿などに伴う実装面３４０ｆの方向への基板３４ｆの移動を規制しない、すなわち、基板３４ｆが突出部３５９に対して自由に変位可能な配置構造であるので照明具２ｆを損傷させるおそれがない。このように、本実施の形態によれば、照明装置５００ｆをストレスフリー構造とすることができる。
【００８４】
本実施の形態のように、照明具２ｆは、外郭部以外の構成によってフェールセーフ構造が実現でき、ストレスフリー構造が実現できる。
【００８５】
＊＊＊他の構成＊＊＊
図２３を用いて、本実施の形態に係る支持部材２４ｆの変形例について説明する。
【００８６】
＜変形例１：支持部材２４ｇ＞
図２３の（ａ）では、突出部２４８ｇは、基板取付部２４１ｇの長手方向の一端部２４９ｇと基板３４ｇの長手方向の一端部３４９ｇとの間において、基板取付部２４１ｇの一部が折り返されて形成されている。支持部材２４ｇは、主部２４０ｇの端部の一部が、基板表面である基板取付部２４１ｇの側に折り返されている。
このように、基板捕捉部材３５を用いなくとも突出部２４８ｇを形成し、基板３４ｇの脱落を防止することができる。
【００８７】
＜変形例２：支持部材２４ｈ＞
図２３の（ｂ）では、突出部２４８ｈは、基板取付部２４１ｈの長手方向の一端部２４９ｈと基板３４ｈの長手方向の一端部３４９ｈとの間において、基板取付部２４１ｈの一部が折り返されて形成されている。支持部材２４ｈは、主部２４０ｈの端部の一部が、基板表面である基板取付部２４１ｈの側に折り返されている。
このように、基板捕捉部材３５を用いなくとも突出部２４８ｈを形成し、基板３４ｈの脱落を防止することができる。
本実施の形態の変形例２によれば、基板３４ｈを支持部材２４ｈの最端部まで延伸させることができるので、発光素子３１ｈを支持部材２４ｈの最端部まで拡げることができる。すなわち、照明具２ｈの長手方向における端部の明るさを改善することができる。
【００８８】
実施の形態１から実施の形態３、あるいはこれらの変形例、複数の部分を組み合わせて実施しても構わない。あるいは、これらの実施の形態あるいは変形例のうち、１つの部分を実施しても構わない。その他、これらの実施の形態あるいは変形例を、全体としてあるいは部分的に、どのように組み合わせて実施しても構わない。
なお、上述した実施の形態は、本質的に好ましい例示であって、本発明の範囲、本発明の適用物の範囲、および本発明の用途の範囲を制限することを意図するものではない。上述した実施の形態あるいは変形例は、必要に応じて種々の変更が可能である。
【符号の説明】
【００８９】
５００  照明装置、１  照明器具、１０  器具本体、１１  ユニット取付部、１２  器具側取付具、１３  器具電源線材、１４  器具側コネクタ、１５  端板部、１１１  底面部、１１２  側面部、１１３  開口縁部、１１４  開口、１１５  傾斜部、２，２ａ，２ｂ，２ｃ，２ｄ  照明具、２０  外郭部、２１  透光性カバー、２０１  開口部、２０２  閉塞部、２０３  突出部、２０４  隙間、２０５  導電部、２０６  支持片、２１０  カバー主部、２１１  カバー側部、２１２  カバー係合部、２２，２２ａ，２２ｂ，２２ｃ，２２ｄ  端部カバー、２２０  底部、２２１  周部、２２２  第１突出片、２２３  照射側面部、２２４  対向面部、２２５，２２５ａ，２２５ｂ，２２５ｃ，２２５ｄ  第２突出片、２２６  基端部、２２７  先端部、２２８  切欠き部、２２９  照射側面部、２９９  嵌合部、２３０  対向面部、２４  支持部材、２４０  主部、２４１  基板取付部、２４２  電源取付部、２４３  側縁部、２４４  側部、２４５  基端部、２４６  先端部、３０  発光モジュール、３１  発光素子、３２  回路部品、３３  基板コネクタ、３４  基板、３４０  実装面、３４１  接着面、３４２  端面、３４３  側面、３４４  端部、３４６  被捕捉部、４０  電源ユニット、４１  端子台、４２  ユニット電源線材、４３  ユニット側コネクタ、４４  給電線材、４５  給電コネクタ、４６  ユニット側取付具、４７  配線クランプ、４７１  ガイド部、４８  配線ホルダ、４９  接着部材、８００  照明装置、６  照明器具、６０  器具本体、６１  支持ソケット、６２  給電ソケット、６３  電源装置、６３０  電源ケース、７，７ａ，７ｂ，７ｃ  照明具、７０  外郭部、７１  透光性カバー、７１０  カバー主部、７１１  カバー端部、７１２  外周部、７１３  内周部、７２，７２ａ，７２ｂ，７２ｃ  支持口金、７２０  筐体部、７２１  底部、７２２  周部、７２３  第１突出片、７２４  当接部、７２５  ねじ孔、７２６，７２６ａ，７２６ｂ，  第２突出片、７２７  基端部、７２８  先端部、７３０  照射側面部、７３１  対向面部、７４０，７４０ｃ  支持端子、７４１  支持部、７４２  貫通部、７４３，７４３ｃ  端子突出部、７５，７５ａ，７５ｂ  給電口金、７５０  筐体部、７５１  底部、７５２  周部、７５３  第１突出片、７５４  当接部、７５５  ねじ孔、７５６，７５６ａ，７５６ｂ  第２突出片、７５７  基端部、７５８  先端部、７６０  照射側面部、７６１  対向面部、７７０  給電端子、７７１  給電部、７７２  貫通部、７７３  接続部、８０  発光モジュール、８１  発光素子、８２  回路部品、８４  基板、８７  ねじ、８０１  開口部、８０２  閉塞部、８０３  突出部、８０４  隙間、８０５  導電部、８０６  支持片、８４０  実装面、８４１  接着面、８４６  被捕捉部、８４７  はんだ付け部、８５  支持部材、８５０  部材取付部、８５１  基板取付部、８５２  張出部、８５４  ねじ固定部、８５５  ねじ孔、８５６  対向部、８６  接着部材、９００  造営部、５００ｆ  照明装置、１ｆ  照明器具、１０ｆ  器具本体、１１ｆ  ユニット取付部、１１１ｆ  底面部、１１２ｆ  側面部、１１３ｆ  開口縁部、１１４ｆ  開口、１５ｆ  端板部、１６  固定部、１６１  取付ねじ孔、２ｆ，２ｈ  照明具、２０ｆ  外郭部、２０１ｆ  開口��、２０２ｆ  閉塞部、３５９，２４８ｇ，２４８ｈ  突出部、２０４ｆ  隙間、２１ｆ  透光性カバー、２０９ｆ  端部部材、２１０ｆ  カバー主部、２１３ｆ  カバー端部、２１４ｆ  外周部、２１５ｆ  内周部、２２ｆ  端部カバー、２２６ｆ  基端部、２２７ｆ  先端部、２２９ｆ  照射側面部、２３０ｆ  対向面部、２３１ｆ  排水孔、２４ｆ，２４ｇ，２４ｈ  支持部材、２４０ｆ，２４０ｇ，２４０ｈ  主部、２４１ｆ，２４１ｇ，２４１ｈ  基板取付部、２４２ｆ  電源取付部、２４７ｆ  固定孔、２４９，２４９ｆ，２４９ｇ，２４９ｈ  一端部、２８２ｆ  封止具、３０ｆ  発光モジュール、３１ｆ，３１ｈ  発光素子、３４ｆ  基板、３４０ｆ  実装面、３４６ｆ  被捕捉部、２４９ｆ，３４９ｆ  一端部、２９４ｆ  取り付け端部、３４ｆ，３４ｇ，３４ｈ  基板、３５  基板捕捉部材、３４４ｆ  端部、３４９ｆ，３４９ｇ，３４９ｈ  一端部、３５１  取付部、３５２  第１固定部、３５３  第２固定部、３５４  弾性接続部、３５５  第１係止爪、３５６  第２係止爪、３５７  第３係止爪、３５８  第４係止爪、３６０  操作片、４０ｆ  電源ユニット、４６ｆ  ユニット側取付具、４６１  取付ねじ、４６２  ワッシャー、４６３  取付蓋、４６３ｆ，４６４ｆ  固定ねじ。
【図１】
2019029341.tif 000003
【図２】
2019029341.tif 000004
【図３】
2019029341.tif 000005
【図４】
2019029341.tif 000006
【図５】
2019029341.tif 000007
【図６】
2019029341.tif 000008
【図７】
2019029341.tif 000009
【図８】
2019029341.tif 000010
【図９】
2019029341.tif 000011
【図１０】
2019029341.tif 000012
【図１１】
2019029341.tif 000013
【図１２】
2019029341.tif 000014
【図１３】
2019029341.tif 000015
【図１４】
2019029341.tif 000016
【図１５】
2019029341.tif 000017
【図１６】
2019029341.tif 000018
【図１７】
2019029341.tif 000019
【図１８】
2019029341.tif 000020
【図１９】
2019029341.tif 000021
【図２０】
2019029341.tif 000022
【図２１】
2019029341.tif 000023
【図２２】
2019029341.tif 000024
【図２３】
2019029341.tif 000025